(57)【要約】【課題】複数の印刷注文や複数の印刷物生成工程を跨いでの作業スケジュールの調整を行えるようにする。【解決手段】予め割り当てられた資源を用いて処理を実行する工程が時間軸上に複数並び印刷物生成工程を示した工程画像を、印刷注文毎に表示する工程画像表示手段と、各印刷注文の納期を示す画像を、時間軸上の対応する位置に表示する納期画像表示手段と、工程に対して予め割り当てられている資源とは異なる他の資源であって、工程にて利用可能な他の資源についての情報を表示する資源情報表示手段と、を備える表示システム。【選択図】図５
2019215718.tif 000002
【特許請求の範囲】
【請求項１】
予め割り当てられた資源を用いて処理を実行する工程が時間軸上に複数並び印刷物生成工程を示した工程画像を、印刷注文毎に表示する工程画像表示手段と、
各印刷注文の納期を示す画像を、前記時間軸上の対応する位置に表示する納期画像表示手段と、
前記工程に対して予め割り当てられている前記資源とは異なる他の資源であって、当該工程にて利用可能な当該他の資源についての情報を表示する資源情報表示手段と、
を備える表示システム。
【請求項２】
前記資源情報表示手段は、複数の前記工程の中から選択された工程にて利用可能な前記他の資源についての情報を表示する請求項１に記載の表示システム。
【請求項３】
前記資源情報表示手段は、前記他の資源についての情報として、人的資源についての情報及び／又は物的資源についての情報を表示する請求項１に記載の表示システム。
【請求項４】
前記納期を示す前記画像が、前記工程画像の終端よりも始点側に位置する場合に、納期が未達となることを示す表示を行う未達表示手段をさらに備える請求項１に記載の表示システム。
【請求項５】
前記未達表示手段は、前記工程画像の前記終端と前記納期を示す前記画像との間に位置する部分の色を変える請求項４に記載の表示システム。
【請求項６】
前記納期が未達となることを示す前記表示は、アイコンである請求項４に記載の表示システム。
【請求項７】
前記納期が未達となることを示す前記表示は、納期が未達となる旨を表す文字列である請求項４に記載の表示システム。
【請求項８】
前記資源情報表示手段により表示された前記他の資源が選択された場合に、前記工程画像を変更する工程画像変更手段をさらに備える請求項１に記載の表示システム。
【請求項９】
前記工程画像変更手段は、前記工程画像の全長を変更する請求項８に記載の表示システム。
【請求項１０】
前記工程画像変更手段は、前記工程画像の終端の位置を変更する請求項８に記載の表示システム。
【請求項１１】
前記工程画像変更手段は、前記他の資源を用いて前記印刷物生成工程を実行する場合の処理時間を算出し、当該処理時間に基づき、前記工程画像を変更する請求項８に記載の表示システム。
【請求項１２】
工程が時間軸上に複数並び印刷物生成工程を示した工程画像を、印刷注文毎に表示する工程画像表示手段と、
一の前記工程画像により表された印刷物生成工程、および、他の前記工程画像により表された印刷物生成工程の両工程にて実行される共通の処理を表示する共通処理表示手段と、
を備える表示システム。
【請求項１３】
前記共通処理表示手段は、前記一の工程画像および前記他の工程画像の表示箇所とは異なる箇所に、前記共通の処理を表示する請求項１２に記載の表示システム。
【請求項１４】
前記共通処理表示手段は、前記共通の処理の内容を示す文字列を表示する請求項１２に記載の表示システム。
【請求項１５】
前記共通処理表示手段は、前記一の工程画像および前記他の工程画像の各々に含まれる複数の工程のうちの前記共通の処理が実行される工程の各々に対応付けて画像を表示して、当該共通の処理を表示する請求項１２に記載の表示システム。
【請求項１６】
前記共通の処理が選択された場合に、前記一の工程画像および前記他の工程画像の少なくとも一方の工程画像を変更する工程画像変更手段を更に備える請求項１２に記載の表示システム。
【請求項１７】
前記工程画像変更手段は、前記少なくとも一方の前記工程画像の全長を変更する請求項１６に記載の表示システム。
【請求項１８】
前記工程画像変更手段は、前記少なくとも一方の前記工程画像の終端の位置を変更する請求項１６に記載の表示システム。
【請求項１９】
前記工程画像変更手段は、印刷物生成工程を各々示した前記一の工程画像および前記他の工程画像のうち、後に実行される印刷物生成工程を示した工程画像を少なくとも変更する請求項１６に記載の表示システム。
【請求項２０】
前記工程画像変更手段は、前記後に実行される前記印刷物生成工程を実行する場合の処理時間であって前記共通の処理の実行を省略する場合の当該処理時間を算出し、算出した当該処理時間に基づき、当該後に実行される印刷物生成工程を示した前記工程画像の変更を行う請求項１９に記載の表示システム。
【請求項２１】
前記少なくとも一方の前記工程画像の変更に応じて、当該少なくとも一方の当該工程画像に関連する関連画像を変更する関連画像変更手段を更に備える請求項１６に記載の表示システム。
【請求項２２】
前記共通の処理が選択されたことを示す表示を行う選択済み表示手段を更に備える請求項１２に記載の表示システム。
【請求項２３】
前記一の工程画像および前記他の工程画像の各々に対応付けて、各工程における処理に用いられる資源についての情報を表示する資源情報表示手段を更に備える請求項１２に記載の表示システム。
【請求項２４】
予め割り当てられた資源を用いて処理を実行する工程が時間軸上に複数並び印刷物生成工程を示した工程画像を、印刷注文毎に表示する工程画像表示機能と、
各印刷注文の納期を示す画像を、前記時間軸上の対応する位置に表示する納期画像表示機能と、
前記工程に対して予め割り当てられている前記資源とは異なる他の資源であって、当該工程にて利用可能な当該他の資源についての情報を表示する資源情報表示機能と、
をコンピュータに実現させるためのプログラム。
【請求項２５】
工程が時間軸上に複数並び印刷物生成工程を示した工程画像を、印刷注文毎に表示する工程画像表示機能と、
一の前記工程画像により表された印刷物生成工程、および、他の前記工程画像により表された印刷物生成工程の両工程にて実行される共通の処理を表示する共通処理表示機能と、
をコンピュータに実現させるためのプログラム。
【発明の詳細な説明】
【技術分野】
【０００１】
本発明は、表示システムおよびプログラムに関する。
【背景技術】
【０００２】
特許文献１には、第一の印刷物を印刷するための製造工程と、第二の印刷物を印刷するための製造工程とを組み合わせて、第一及び第二の印刷物を印刷するための複数の製造工程の組合せを作成する作成手段を備えた情報処理装置が開示されている。
【先行技術文献】
【特許文献】
【０００３】
【特許文献１】特開２０１６−４５５３９号公報
【発明の概要】
【発明が解決しようとする課題】
【０００４】
印刷に関する作業スケジュールの調整を、印刷注文毎や印刷物生成工程毎に個別に行う場合、作業スケジュールの調整の範囲が、個々の印刷注文や個々の印刷物生成工程の範囲内に限られやすくなる。
本発明の目的は、複数の印刷注文や複数の印刷物生成工程を跨いでの作業スケジュールの調整を行えるようにすることにある。
【課題を解決するための手段】
【０００５】
請求項１に記載の発明は、予め割り当てられた資源を用いて処理を実行する工程が時間軸上に複数並び印刷物生成工程を示した工程画像を、印刷注文毎に表示する工程画像表示手段と、各印刷注文の納期を示す画像を、前記時間軸上の対応する位置に表示する納期画像表示手段と、前記工程に対して予め割り当てられている前記資源とは異なる他の資源であって、当該工程にて利用可能な当該他の資源についての情報を表示する資源情報表示手段と、を備える表示システムである。
請求項２に記載の発明は、前記資源情報表示手段は、複数の前記工程の中から選択された工程にて利用可能な前記他の資源についての情報を表示する請求項１に記載の表示システムである。
請求項３に記載の発明は、前記資源情報表示手段は、前記他の資源についての情報として、人的資源についての情報及び／又は物的資源についての情報を表示する請求項１に記載の表示システムである。
請求項４に記載の発明は、前記納期を示す前記画像が、前記工程画像の終端よりも始点側に位置する場合に、納期が未達となることを示す表示を行う未達表示手段をさらに備える請求項１に記載の表示システムである。
請求項５に記載の発明は、前記未達表示手段は、前記工程画像の前記終端と前記納期を示す前記画像との間に位置する部分の色を変える請求項４に記載の表示システムである。
請求項６に記載の発明は、前記納期が未達となることを示す前記表示は、アイコンである請求項４に記載の表示システムである。
請求項７に記載の発明は、前記納期が未達となることを示す前記表示は、納期が未達となる旨を表す文字列である請求項４に記載の表示システムである。
請求項８に記載の発明は、前記資源情報表示手段により表示された前記他の資源が選択された場合に、前記工程画像を変更する工程画像変更手段をさらに備える請求項１に記載の表示システムである。
請求項９に記載の発明は、前記工程画像変更手段は、前記工程画像の全長を変更する請求項８に記載の表示システムである。
請求項１０に記載の発明は、前記工程画像変更手段は、前記工程画像の終端の位置を変更する請求項８に記載の表示システムである。
請求項１１に記載の発明は、前記工程画像変更手段は、前記他の資源を用いて前記印刷物生成工程を実行する場合の処理時間を算出し、当該処理時間に基づき、前記工程画像を変更する請求項８に記載の表示システムである。
請求項１２に記載の発明は、工程が時間軸上に複数並び印刷物生成工程を示した工程画像を、印刷注文毎に表示する工程画像表示手段と、一の前記工程画像により表された印刷物生成工程、および、他の前記工程画像により表された印刷物生成工程の両工程にて実行される共通の処理を表示する共通処理表示手段と、を備える表示システムである。
請求項１３に記載の発明は、前記共通処理表示手段は、前記一の工程画像および前記他の工程画像の表示箇所とは異なる箇所に、前記共通の処理を表示する請求項１２に記載の表示システムである。
請求項１４に記載の発明は、前記共通処理表示手段は、前記共通の処理の内容を示す文字列を表示する請求項１２に記載の表示システムである。
請求項１５に記載の発明は、前記共通処理表示手段は、前記一の工程画像および前記他の工程画像の各々に含まれる複数の工程のうちの前記共通の処理が実行される工程の各々に対応付けて画像を表示して、当該共通の処理を表示する請求項１２に記載の表示システムである。
請求項１６に記載の発明は、前記共通の処理が選択された場合に、前記一の工程画像および前記他の工程画像の少なくとも一方の工程画像を変更する工程画像変更手段を更に備える請求項１２に記載の表示システムである。
請求項１７に記載の発明は、前記工程画像変更手段は、前記少なくとも一方の前記工程画像の全長を変更する請求項１６に記載の表示システムである。
請求項１８に記載の発明は、前記工程画像変更手段は、前記少なくとも一方の前記工程画像の終端の位置を変更する請求項１６に記載の表示システムである。
請求項１９に記載の発明は、前記工程画像変更手段は、印刷物生成工程を各々示した前記一の工程画像および前記他の工程画像のうち、後に実行される印刷物生成工程を示した工程画像を少なくとも変更する請求項１６に記載の表示システムである。
請求項２０に記載の発明は、前記工程画像変更手段は、前記後に実行される前記印刷物生成工程を実行する場合の処理時間であって前記共通の処理の実行を省略する場合の当該処理時間を算出し、算出した当該処理時間に基づき、当該後に実行される印刷物生成工程を示した前記工程画像の変更を行う請求項１９に記載の表示システムである。
請求項２１に記載の発明は、前記少なくとも一方の前記工程画像の変更に応じて、当該少なくとも一方の当該工程画像に関連する関連画像を変更する関連画像変更手段を更に備える請求項１６に記載の表示システムである。
請求項２２に記載の発明は、前記共通の処理が選択されたことを示す表示を行う選択済み表示手段を更に備える請求項１２に記載の表示システムである。
請求項２３に記載の発明は、前記一の工程画像および前記他の工程画像の各々に対応付けて、各工程における処理に用いられる資源についての情報を表示する資源情報表示手段を更に備える請求項１２に記載の表示システムである。
請求項２４に記載の発明は、予め割り当てられた資源を用いて処理を実行する工程が時間軸上に複数並び印刷物生成工程を示した工程画像を、印刷注文毎に表示する工程画像表示機能と、各印刷注文の納期を示す画像を、前記時間軸上の対応する位置に表示する納期画像表示機能と、前記工程に対して予め割り当てられている前記資源とは異なる他の資源であって、当該工程にて利用可能な当該他の資源についての情報を表示する資源情報表示機能と、をコンピュータに実現させるためのプログラムである。
請求項２５に記載の発明は、工程が時間軸上に複数並び印刷物生成工程を示した工程画像を、印刷注文毎に表示する工程画像表示機能と、一の前記工程画像により表された印刷物生成工程、および、他の前記工程画像により表された印刷物生成工程の両工程にて実行される共通の処理を表示する共通処理表示機能と、をコンピュータに実現させるためのプログラムである。
【発明の効果】
【０００６】
請求項１の発明によれば、複数の印刷注文や複数の印刷物生成工程を跨いでの作業スケジュールの調整を行えるようになる。
請求項２の発明によれば、選択された工程にて利用可能な他の資源についての情報を被通知者に対して通知できる。
請求項３の発明によれば、利用可能な人的資源についての情報及び／又は物的資源についての情報を被通知者に対して通知できる。
請求項４の発明によれば、納期が未達となることを示す表示を行わない場合に比べ、納期が未達となることがより明確となる。
請求項５の発明によれば、納期が未達になるにも関わらず表示が変わらない場合に比べ、納期が未達となることがより明確となる。
請求項６の発明によれば、納期が未達になるにも関わらず表示が変わらない場合に比べ、納期が未達となることがより明確となる。
請求項７の発明によれば、文字列を用いずに納期が未達となることを示す表示を行う場合に比べ、納期が未達となることをより明確に表示することが可能になる。
請求項８の発明によれば、工程画像を変更しない場合に比べ、他の資源の選択の効果をより明確にできる。
請求項９の発明によれば、工程画像の全長を変更しない場合に比べ、印刷物生成工程の所要時間に変化があったことをよりに明確できる。
請求項１０の発明によれば、工程画像の終端の位置が変化しない場合に比べ、印刷物生成工程の所要時間に変化があったことをより明確にできる。
請求項１１の発明によれば、他の資源を用いて印刷物生成工程を実行する場合の処理時間を、工程画像に反映することができる。
請求項１２の発明によれば、複数の印刷注文や複数の印刷物生成工程を跨いでの作業スケジュールの調整を行えるようになる。
請求項１３の発明によれば、一の工程画像、他の工程画像の表示箇所に共通の処理を表示する場合に比べ、共通の処理をより目立たせることができる。
請求項１４の発明によれば、文字列を用いずに共通の処理の内容を表示する場合に比べ、共通の処理の内容をより明確にできる。
請求項１５の発明によれば、共通の処理が実行される工程の各々に対応付けて画像を表示しない場合に比べ、一の工程画像および他の工程画像の各々に含まれる複数の工程のうちの何れの工程が、共通の処理が実行される工程であるかをより明確なものにできる。
請求項１６の発明によれば、共通の処理が選択されたことを、工程画像に反映することができる。
請求項１７の発明によれば、共通の処理が選択されたことを、工程画像の長さに反映することができる。
請求項１８の発明によれば、共通の処理が選択されたことを、工程画像の終端の位置に反映することができる。
請求項１９の発明によれば、共通の処理が選択されたことを、後に実行される印刷物生成工程を示した工程画像に反映することができる。
請求項２０の発明によれば、後に実行される印刷物生成工程を示した工程画像を、共通の処理の実行を省略する場合の処理時間が反映された工程画像に変更できる。
請求項２１の発明によれば、工程画像の変更に応じてこの工程画像の関連する関連画像の変更を行える。
請求項２２の発明によれば、共通の処理が選択されたことを示す表示が行われない場合に比べ、共通の処理が選択されたことをより明確にできる。
請求項２３の発明によれば、各工程における処理に用いられる資源についての情報が表示されない場合に比べ、各工程における処理に用いられる資源についての情報を、被通知者に対してより明確に通知することができる。
請求項２４の発明によれば、複数の印刷注文や複数の印刷物生成工程を跨いでの作業スケジュールの調整を行えるようになる。
請求項２５の発明によれば、複数の印刷注文や複数の印刷物生成工程を跨いでの作業スケジュールの調整を行えるようになる。
【図面の簡単な説明】
【０００７】
【図１】表示システムの構成を示した図である。
【図２】ＣＰＵ等により実現される各機能部を示した図である。
【図３】表示装置の表示画面の一例を示した図である。
【図４】全体表示画面の他の表示例を示した図である。
【図５】全体工程画像に含まれる複数の工程の中から、一部の工程がオペレータにより選択された後の表示画面を示した図である。
【図６】他の資源がオペレータにより選択された場合の細部表示画面を示した図である。
【図７】他の資源がオペレータにより選択された後の全体表示画面を示した図である。
【図８】全体表示画面を示した図である。
【図９】２つの工程が選択された後の細部表示画面を示した図である。
【図１０】細部表示画面における他の表示例を示した図である。
【図１１】共通の処理の何れかが、オペレータにより選択された後の細部表示画面を示した図である。
【図１２】共通の処理が選択された後の全体表示画面を示した図である。
【図１３】全体表示画面他の表示例を示している。
【発明を実施するための形態】
【０００８】
以下、添付図面を参照して、本発明の実施の形態について説明する。
図１は、本実施形態に係る表示システム１の構成を示した図である。
図１に示すように、本実施形態の表示システム１は、ＣＰＵ（Central Processing Unit）２０２Ａ、ＲＡＭ（Random Access Memory）２０２Ｂ、ＲＯＭ（Read Only Memory）２０２Ｃ、磁気記憶装置２０４を備える。さらに、表示システム１は、外部との通信を行うための通信装置（通信Ｉ／Ｆ）２５０を備える。
【０００９】
ＲＯＭ２０２Ｃ、磁気記憶装置２０４は、ＣＰＵ２０２Ａにより実行されるプログラムを記憶する。ＣＰＵ２０２Ａは、ＲＯＭ２０２Ｃや磁気記憶装置２０４に記憶されているプログラムを読み出し、ＲＡＭ２０２Ｂを作業エリアにしてプログラムを実行する。
ＣＰＵ２０２Ａにより、ＲＯＭ２０２Ｃや磁気記憶装置２０４に格納されたプログラムが実行されることで、後述する各機能部が実現される。
【００１０】
ここで、ＣＰＵ２０２Ａによって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で、表示システム１へ提供しうる。また、ＣＰＵ２０２Ａによって実行されるプログラムは、インターネットなどの通信手段を用いて表示システム１へダウンロードしてもよい。
【００１１】
さらに、表示システム１には、表示装置２００、操作受け付け装置２０６が設けられている。
表示装置２００は、例えば、タッチパネル方式のディスプレイにより構成され、情報の表示を行う。より具体的には、表示装置２００は、後述する各種の表示機能部からの表示指示を受け、情報の表示を行う。
操作受け付け装置２０６は、マウス、キーボード、タッチパネル方式のディスプレイなどにより構成され、操作者であるオペレータにより行われる操作を受け付ける。
【００１２】
図２は、ＣＰＵ２０２Ａ等により実現される各機能部を示した図である。ＣＰＵ２０２Ａにより、ＲＯＭ２０２Ｃや磁気記憶装置２０４に格納されたプログラムが実行されることで、図２にて示す各機能部が実現される。
本実施形態の表示システム１には、図２に示すように、工程画像表示部３０１、納期画像表示部３０２、資源情報表示部３０３、未達表示部３０４、工程画像変更部３０５、共通処理表示部３０６、関連画像変更部３０７、選択済み表示部３０８が設けられる。
【００１３】
工程画像表示手段の一例としての工程画像表示部３０１は、表示装置２００への表示指示を行い、印刷物生成工程を示した工程画像を、印刷注文毎に表示する（詳細は後述）。
この工程画像の各々では、予め割り当てられた資源を用いて処理を実行する工程（工程を表す画像）が、時間軸上に複数並んだ状態で表示される。
【００１４】
納期画像表示手段の一例としての納期画像表示部３０２は、表示装置２００への表示指示を行い、各印刷注文の納期を示す画像を、上記工程が複数並べられた上記時間軸上の対応する位置に表示する。
資源情報表示手段の一例としての資源情報表示部３０３は、表示装置２００への表示指示を行い、上記の工程に対して予め割り当てられている資源とは異なる他の資源であって、この工程にて利用可能な他の資源についての情報を表示する。
【００１５】
未達表示手段の一例としての未達表示部３０４は、表示装置２００への表示指示を行い、印刷注文の納期が未達となることを示す表示を行う。
具体的には、未達表示部３０４は、納期を示す画像が、工程画像の終端よりも始点側に位置する場合に、納期が未達となることを示す表示を行う。
【００１６】
工程画像変更手段の一例としての工程画像変更部３０５は、資源情報表示部３０３により表示された他の資源が選択された場合に、表示装置２００に表示されている工程画像を変更する。
また、工程画像変更部３０５は、後述する共通の処理が選択された場合に、工程画像を変更する。
【００１７】
共通処理表示手段の一例としての共通処理表示部３０６は、表示装置２００への表示指示を行い、一の工程画像により表された印刷物生成工程、および、他の工程画像により表された印刷物生成工程の両工程にて実行される共通の処理を表示する。
関連画像変更手段の一例としての関連画像変更部３０７は、工程画像の変更に応じて、この工程画像に関連する関連画像を変更する。
選択済み表示手段の一例としての選択済み表示部３０８は、上記の共通の処理が選択されたことを示す表示を行う。
【００１８】
図３は、表示装置２００の表示画面の一例を示した図である。
本実施形態では、図３に示すように、工程画像表示部３０１が、表示装置２００に、印刷物生成工程を示した工程画像２０１を複数表示する。
より具体的には、図３に示す表示画面は、印刷物生成工程の全体像を示す全体表示画面２００Ａとなっており、全体表示画面２００Ａには、複数の印刷注文に対応した複数の工程画像２０１が表示される。
【００１９】
全体表示画面２００Ａでは、複数の工程画像２０１が上下方向に並べられた状態で表示される。また、工程画像２０１の各々では、複数の工程２０２（工程２０２を表す画像）が時間軸２０３上に並べられた状態で表示される。
各工程２０２に対しては、各工程２０２における処理を実行するための資源が予め割り当てられており、各工程２０２では、この予め割り当てられた資源を用いて処理を実行する。
【００２０】
工程画像２０１の各々は、印刷注文毎に表示され、１つの工程画像２０１は、１つの印刷注文に対応する。
なお、本実施形態では、時間軸２０３が直線により表され、各工程２０２がこの直線上に並んでいる場合を例示するが、時間軸２０３は、必ずしも表示しないでもよく、「工程２０２が時間軸２０３上に並ぶ」とは、表示されていない時間軸２０３上に工程２０２が並んでいる態様も含む。
【００２１】
ここで、各工程画像２０１により表される各印刷物生成工程には、入稿、プリプレス、プレス、ポストプレス、検品、配送の各工程２０２が存在する。
入稿とは、印刷処理を開始する前の準備段階における工程を指す。入稿では、例えば、データチェック、作業計画、指示書作成などが行われる。
プリプレスとは、印刷装置（不図示）における印刷を開始するにあたり必要となる処理を行う工程を指す。プリプレスでは、例えば、データ準備、ツール準備、プリプレス処理、後処理が行われる。
【００２２】
プレスとは、印刷装置を用いて印刷処理を行う工程を指す。プレスでは、データ準備、装置セットアップ、印刷設定、プレス処理、後処理が行われる。
ポストプレスとは、製本処理など、印刷装置により生成された印刷物に対して更なる処理を行う工程を指す。ポストプレスでは、出力物や部品の準備、装置準備、印刷設定、ポストプレス処理、後処理が行われる。
検品とは、ポストプレスを経た後の印刷物の検査工程を指す。検品では、検品準備、検品が行われる。
配送とは、検品を経た後の印刷物の搬送工程を指す。配送では、配送準備、梱包、配送が行われる。
【００２３】
また、入稿、プリプレス、プレス、ポストプレス、検品、配送の各工程２０２に対しては、各工程２０２における処理を実行するための資源（人的資源及び／又は物的資源）が予め割り当てられている。
具体的には、入稿に対しては、作業者、委託業者、webが、予め割り当てられる。
プリプレスに対しては、作業者、委託業者、ツールが、予め割り当てられる。
プレスに対しては、作業者、委託業者、装置が予め割り当てられる。
ポストプレスに対しては、作業者、委託業者、二アライン後処理装置、インライン後処理装置、オフライン後処理装置が、予め割り当てられる。
検品に対しては、作業者、委託業者、二アライン検査装置、インライン後処理装置、オフライン後処理装置が、予め割り当てられる。
配送に対しては、作業者、委託業者が、予め割り当てられる。
【００２４】
ここで、図３の全体表示画面２００Ａにおける各工程画像２０１の各々は、印刷物生成工程の全体を示す工程画像２０１である。以下、本明細書では、印刷物生成工程の全体を示すこの工程画像２０１の各々を、全体工程画像２０１Ａと称する。
また、本実施形態は、後述するように、全体工程画像２０１Ａに含まれる一部の工程２０２が、オペレータにより選択されると、選択されたこの一部の工程２０２の詳細を示した細部工程画像２０１Ｂ（後述）が表示される。
この細部工程画像２０１Ｂにおいても、複数の工程２０２（工程２０２を表す画像）が、時間軸２０３上に複数並べられて表示され、さらに、印刷注文毎に、この細部工程画像２０１Ｂが表示される。
【００２５】
図３にて示す全体表示画面２００Ａでは、複数の印刷注文に対応した複数の全体工程画像２０１Ａが一覧形式で表示される。言い換えると、一つの全体表示画面２００Ａに、複数の全体工程画像２０１Ａが表示される。
これにより、本実施形態では、工程の見直しなどがより行いやすいものになる。
【００２６】
ここで、比較例として、１つの印刷注文毎に、印刷注文を個別に管理する場合、一の印刷注文のために確保されていた資源を、他の印刷注文に割り当てるなどの調整処理を行いにくくなる。
付言すると、１つの印刷注文毎に、印刷注文を個別に管理する場合、見直す対象（検討対象）となっている印刷注文以外の他の印刷注文についての情報の把握が難しくなる。この場合、例えば、資源の空きを、この見直す対象となっている印刷注文に割り当てるなどの調整を行いにくい。
【００２７】
さらに、１つの印刷注文毎に、印刷注文を個別に管理する場合、計画や納期に関して支障が出た場合に、例えば、関係者全員が集まっての調整が不可欠となるなど、調整作業が煩雑となりやすい。
これに対し、本実施形態では、複数の全体工程画像２０１Ａが一覧形式で表示され、複数の印刷注文間の調整をより簡易に行える。付言すると、本実施形態では、複数の印刷注文に跨っての、工程の見直しや、資源の再配分をより簡易に行える。さらに、本実施形態では、余っている資源の活用が可能となり、さらに、資源の共有も行える。
【００２８】
付言すると、印刷物生成工程についての検討を行うにあたり、印刷注文毎に、この検討を個別に行うと、検討者に提供される情報が、各印刷注文に対応付けられた情報に限られやすく、検討の余地が狭くなりやすい。
これに対し、本実施形態では、検討者に対して、１つの印刷注文に関する情報だけではなく、他の印刷注文についての情報も提示される。これにより、印刷物生成工程についての検討を行う際の検討の余地が拡がる。
【００２９】
図３の全体表示画面２００Ａについてさらに説明する。
本実施形態では、納期画像表示部３０２によって、図３に示すように、各印刷注文の納期を示す画像２０５（以下、「納期画像２０５」と称する）が、対応する全体工程画像２０１Ａに対応付けて表示される。
このとき、この納期画像２０５は、全体工程画像２０１Ａの各々において、全体工程画像２０１Ａの時間軸２０３上の対応する位置に表示される。本実施形態では、納期画像２０５として、線図（折れ線）が表示される。
【００３０】
ここで、本実施形態では、上から５つ目の印刷注文の納期が、未達となる状況となっており、５つ目の印刷注文に対応した全体工程画像２０１Ａでは、納期画像２０５が、全体工程画像２０１Ａの終端２０６Ｅよりも始点２０６Ｓ側に位置している。
印刷注文の納期が未達となる場合、本実施形態では、未達表示部３０４によって、納期が未達となることを示す表示が行われる。
言い換えると、本実施形態では、納期画像２０５が、全体工程画像２０１Ａの終端２０６Ｅよりも始点２０６Ｓ側に位置し、印刷注文の納期が未達となる場合、納期が未達となることを示す表示が行われる。
【００３１】
具体的には、未達表示部３０４は、納期が未達となることを示す表示として、図３の符号３Ａで示すように、全体工程画像２０１Ａの終端２０６Ｅと納期画像２０５との間に位置する部分の色を変える。
具体的には、未達表示部３０４は、全体工程画像２０１Ａの終端２０６Ｅと納期画像２０５との間に位置する部分の色を、変更前の色とは異なる色に変える。
これにより、本実施形態では、色を変えない場合に比べ、オペレータに対して、納期が未達となることがより明確に通知される。
【００３２】
なお、本実施形態では、色を変えることで、納期が未達となることを示す表示を行ったが、これに限らず、納期が未達となることを示す表示は、納期が未達となる旨を表す文字列を表示することで行ってもよい。
具体的には、例えば、「この印刷注文については、納期が未達となります」などの文字列を表示してもよい。
【００３３】
図４は、全体表示画面２００Ａの他の表示例を示した図である。
この表示例では、納期が未達となることを示す表示が、色が変化したアイコン２０７となっている。言い換えると、この表示例では、全体工程画像２０１Ａの終端２０６Ｅよりも始点２０６Ｓ側に、色が変化したアイコン２０７を表示することで、納期が未達となることを表示している。
より具体的には、図４にて示す実施形態では、納期が未達にならない場合のアイコン２０７の色と、納期が未達になる場合のアイコン２０７の色とを変える。
納期が未達になる場合には、符号４Ａで示すように、アイコン２０７の色を変え、さらに、色を変化させたこのアイコン２０７を、全体工程画像２０１Ａの終端２０６Ｅよりも始点２０６Ｓ側に配置する。
【００３４】
さらに、図４にて示すこの表示例でも、全体工程画像２０１Ａの終端２０６Ｅと納期画像２０５（アイコン２０７）との間に位置する部分の色を変えている。
ここで、「アイコン２０７」とは、オペレータによる目視によりその存在が確認でき且つ全体工程画像２０１Ａの全長（全体工程画像２０１Ａの長手方向における全長）よりも長さ（全体工程画像２０１Ａの長手方向における長さ）が小さい画像をいう。
「アイコン２０７」の形状については、特に制限されず、図４に示すように、矢印状としたり、多角形や星形状などの他の形状としたりしてもよい。
【００３５】
図５は、全体工程画像２０１Ａに含まれる複数の工程２０２の中から、一部の工程２０２がオペレータにより選択された後の表示画面を示した図である。
より具体的には、図５は、図３にて示されている複数の全体工程画像２０１Ａのうちの、上から５つ目の全体工程画像２０１Ａに含まれるプレス工程が選択された後の表示画面を示した図である。
以下、図５にて示されている表示画面を、細部表示画面２００Ｂと称する。
【００３６】
本実施形態では、工程２０２（各工程２０２を表す画像）がオペレータにより選択されると、この工程２０２にて実行される複数の工程２０２がさらに表示される。
具体的には、本実施形態では、プレス工程では、データ準備、装置セットアップ、印刷設定、プレス処理、後処理が実行されるため、図５の符号５Ａで示すように、細部表示画面２００Ｂでは、これらの工程２０２が表示される。
ここで、データ準備、装置セットアップ、印刷設定、プレス処理、後処理の各工程２０２が並んだこの部分は、細部工程画像２０１Ｂとして捉えることができる。
【００３７】
付言すると、本実施形態では、上記のとおり、全体工程画像２０１Ａに含まれる一部の工程２０２が、オペレータにより選択されると、選択されたこの一部の工程２０２にて実行される複数の工程２０２が並んだ状態で表示される。
この複数の工程２０２が並んで表示された画像は、細部工程画像２０１Ｂとして捉えることができ、本実施形態では、全体工程画像２０１Ａから一部の工程２０２が選択されると、この一部の工程２０２の詳細を示した細部工程画像２０１Ｂが表示される。
【００３８】
さらに、本実施形態では、全体工程画像２０１Ａから工程２０２が選択されると、図５の符号５Ｂで示すように、この工程２０２にて対して既に割り当てられている資源が表示される。
具体的には、本例では、既に割り当てられている資源として、物的資源の一例としての「装置（No100001）」、および、人的資源の一例としての「作業者（No20020）」が表示される。
【００３９】
また、本実施形態では、全体工程画像２０１Ａから工程２０２が選択されると、資源情報表示部３０３が、選択されたこの工程２０２に対して予め割り当てられている資源とは異なる他の資源であって、この工程２０２にて利用可能な他の資源についての情報を表示する。
より具体的には、資源情報表示部３０３は、図５の符号５Ｃで示すように、他の資源についての情報として、物的資源についての情報および人的資源についての情報を表示する。
付言すると、資源情報表示部３０３は、他の資源についての情報として、その時間帯に空いており利用可能な資源についての情報を表示する。
【００４０】
より具体的には、この表示例では、資源情報表示部３０３は、物的資源についての情報として、３つの装置（No100002、No100003、No100004）についての情報を表示する。
また、資源情報表示部３０３は、人的資源についての情報として、３人の作業者（No20021、No20031、No20035）についての情報を表示する。
【００４１】
資源情報表示部３０３は、３つの装置（No100002、No100003、No100004）についての情報として、各装置の信頼性に関する情報、および、各装置の稼働率に関する情報を表示する。
ここで、信頼性に関する情報とは、装置の故障率に関する情報をいう。また、稼働率に関する情報とは、単位時間あたりに装置が実際に稼動した時間のこの単位時間に対する割合を示す情報をいう。
また、資源情報表示部３０３は、３人の作業者（No20021、No20031、No20035）についての情報として、各作業者の作業能力に関する情報を表示する。具体的には、作業者（No20021）と作業者（No20031）は同じ作業能力（Skill Aと表記）であるが、作業者（No20035）によるプレス工程全体の細部工程画像の全長を他の作業者より小さくすることで、他の作業者より作業能力（Skill Sと表記）が高いことを表現している。つまり、単にテキスト情報で能力を追加的に表示するにとどまらず、画像自体も変えることによって作業能力に関する情報を表示している。このように、作業者のような人的資源、あるいは装置のような物的資源の作業能力に応じて工程画像を変更することにより、オペレータは全体の処理時間を短縮するのに寄与する人的資源や物的資源を容易に選択できるようになる。
【００４２】
なお、本実施形態では、利用可能な資源についての情報として、物的資源についての情報および人的資源についての情報の両者を表示する場合を一例に説明したが、一方のみを表示してもよい。
また、本実施形態では、オペレータによる工程２０２の選択があった場合に、他の資源についての情報を表示する場合を説明したが、工程２０２の選択の有無に関わらず、他の資源についての情報を表示してもよい。
具体的には、例えば、上記のように、納期画像２０５が、全体工程画像２０１Ａの終端２０６Ｅよりも始点２０６Ｓ側にあり、納期を満たせない状況にある場合に、他の資源についての情報を自動的に表示してもよい。
【００４３】
図６は、図５にて表示された他の資源がオペレータにより選択された場合の細部表示画面２００Ｂを示した図である。
具体的には、図５にて表示された、他の資源である、装置（No100002）、作業者（No20021）が、オペレータにより選択された場合の細部表示画面２００Ｂを示した図である。
【００４４】
本実施形態では、他の資源の何れかがオペレータにより選択されると、この他の資源も用いられる前提で、細部表示画面２００Ｂにおける表示処理が行われる。
具体的には、図５では、装置（No100001）、作業者（No20020）が用いられる前提での表示となっていたが、他の資源が選択された後の細部表示画面２００Ｂでは、図６に示すように、装置（No100001）、装置（No100002）、作業者（No20020）、作業者（No20021）が用いられる前提での表示となる。
【００４５】
付言すると、本実施形態では、他の資源が選択されると、細部表示画面２００Ｂは、図５にて示した状態から、図６にて示す状態に切り替われる。
図６にて示す細部表示画面２００Ｂでは、装置（No100002）、作業者（No20021）が、新たに割り当てられた資源として表示される。
【００４６】
さらに、図６にて示す細部表示画面２００Ｂでは、当初から割り当てられた資源を示す画像（符号６Ａで示す画像）の各々の全長が、図５にて示したときの全長よりも短くなり、プレス工程の全体の処理に要する時間が短縮されることが分かる。つまり、資源を追加投入したことによる処理時間短縮の効果が事前に確認される。
また、本実施形態では、新たに割り当てられた資源を示す画像（符号６Ｂで示す画像）についても、その全長が、当初から割り当てられた資源を示す画像の全長と等しくなるように表示される。
【００４７】
本実施形態では、他の資源が選択された場合、当初に割り当てられた資源に加え、この他の資源（新たに割り当てられた資源）もプレス工程における処理に利用されるようになり、プレス工程の全体の処理時間が短縮される。
より具体的には、本実施形態では、図６に示すように、プレス工程に含まれるプレス処理の所要時間が特に短縮され、これに伴い、プレス工程の全体の処理時間が短縮される。
【００４８】
図７は、他の資源がオペレータにより選択された後の全体表示画面２００Ａを示した図である。
本実施形態では、オペレータが、予め定められた操作ボタン（不図示）を押圧すると、図６にて示した細部表示画面２００Ｂから、図７にて示す全体表示画面２００Ａに切り替わる。
本実施形態では、他の資源がオペレータにより選択された後に、全体表示画面２００Ａが表示される場合、工程画像変更部３０５が、全体表示画面２００Ａに表示される全体工程画像２０１Ａを変更する。
具体的には、工程画像変更部３０５は、他の資源が利用される印刷物生成工程を示す、上から５つ目の全体工程画像２０１Ａを変更する。
【００４９】
具体的には、工程画像変更部３０５は、上から５つ目の全体工程画像２０１Ａの全長を変更する。より具体的には、工程画像変更部３０５は、この５つ目の全体工程画像２０１Ａの全長を小さくする。
言い換えると、工程画像変更部３０５は、５つ目の全体工程画像２０１Ａの終端２０６Ｅの位置を変更する。付言すると、工程画像変更部３０５は、全体工程画像２０１Ａの終端２０６Ｅが始点２０６Ｓに近づくように、この終端２０６Ｅの位置を変更する。
【００５０】
本実施形態では、上記のように、プレス工程の処理時間が短縮され、これに伴い、印刷物生成工程の全体の処理時間も短縮される。
そして、この場合、工程画像変更部３０５は、図７に示すように、上から５つ目の全体工程画像２０１Ａの全長を小さくする。
【００５１】
具体的には、工程画像変更部３０５は、５つ目の全体工程画像２０１Ａの変更にあたっては、まず、当初から割り当てられていた資源および選択された他の資源を用いて、この５つ目の全体工程画像２０１Ａにより示されている印刷物生成工程を実行する場合の処理時間（予測処理時間）を算出する。
次いで、工程画像変更部３０５は、算出したこの処理時間に基づき、５つ目の全体工程画像２０１Ａを変更する。
【００５２】
より具体的には、本実施形態では、印刷物生成工程の全体の処理時間と全体工程画像２０１Ａの全長とが比例する関係となっており、工程画像変更部３０５は、算出した処理時間の増減に応じて、５つ目の全体工程画像２０１Ａの全長を変更する。
ここで、本実施形態では、上記の他の資源も利用する結果、５つ目の全体工程画像２０１Ａの全長が短くなる。これに伴い、本例では、図７の符号７Ａで示すように、納期画像２０５が、全体工程画像２０１Ａの終端２０６Ｅよりも右側に位置するようになり、これに伴い、納期が未達となることを示す表示が消える。
本実施形態の処理では、空いている資源が、必要としている工程２０２へ提供されるようになり、この工程２０２の工期の短縮化を図れる。
【００５３】
次に、第２の実施形態について説明する。
第２の実施形態においても、上記と同様、また、図８（第２の実施形態における、全体表示画面２００Ａを示した図）に示すように、全体表示画面２００Ａに、複数の全体工程画像２０１Ａが表示される。
さらに、この第２の実施形態においても、５つ目の全体工程画像２０１Ａにおいて、納期が未達となることを示す表示が行われている。
【００５４】
第２の実施形態では、納期を守るため、オペレータにより、４つ目の全体工程画像２０１Ａのプレス工程と、５つ目の全体工程画像２０１Ａのプレス工程の２つのプレス工程が選択された場合の処理を一例に説明する。
言い換えると、一の全体工程画像２０１Ａ（以下、「一の全体工程画像２０１ＡＸ」と称する）の中から１つの工程２０２が選択され、他の全体工程画像２０１Ａ（以下、「他の全体工程画像２０１ＡＹ」と称する）から他の１つの工程２０２が選択され、合計で２つの工程２０２（複数の工程２０２）が選択された場合の処理を説明する。
【００５５】
図９は、２つの工程２０２が選択された後の細部表示画面２００Ｂを示した図である。
本実施形態では、上記のように、一の全体工程画像２０１ＡＸの中から１つの工程２０２が選択され、他の全体工程画像２０１ＡＹから他の１つの工程２０２が選択されると、共通処理表示部３０６によって、図９の符号９Ａで示すように、細部表示画面２００Ｂに、これらの工程２０２に共通する、共通の処理が表示される。
言い換えると、細部表示画面２００Ｂに、一の印刷物生成工程、および、他の印刷物生成工程の両印刷物生成工程にて実行される共通の処理が表示される。
【００５６】
また、本実施形態では、上記のように、２つの全体工程画像２０１Ａの各々から工程２０２の選択が行われ、２つの工程２０２が選択されると、図９の符号９Ｂ、９Ｃで示すように、この２つの工程２０２の各々にて実行される複数の工程２０２が並んだ細部工程画像２０１Ｂが表示される。
付言すると、本実施形態では、全体工程画像２０１Ａに含まれる工程２０２が、オペレータにより複数選択されると、選択されたこの工程２０２の詳細を示した細部工程画像２０１Ｂがそれぞれ表示される。
【００５７】
細部工程画像２０１Ｂでは、全体工程画像２０１Ａと同様、図９の符号９Ｂ、９Ｃで示すように、複数の工程２０２が時間軸２０３上に複数並べられて表示される。
さらに、本実施形態では、符号９Ｂ、９Ｃで示すように、印刷注文毎に、この細部工程画像２０１Ｂが表示される。
【００５８】
ここで、本例では、２つのプレス工程が選択された場合を例示しており、本実施形態では、このプレス工程の各々に対応して、細部工程画像２０１Ｂが表示される（合計で２つの細部工程画像２０１Ｂが表示される）。
以下、本明細書では、一方の細部工程画像２０１Ｂ（図９にて左上に位置する細部工程画像２０１Ｂ）を、一の細部工程画像２０１ＢＸと称し、他方の細部工程画像２０１Ｂ（図９にて右下に位置する細部工程画像２０１Ｂ）を、他の細部工程画像２０１ＢＹと称する。
【００５９】
本実施形態では、上記のとおり、共通処理表示部３０６によって、共通の処理についての情報が表示される。
この共通の処理についての情報は、一の細部工程画像２０１ＢＸおよび他の細部工程画像２０１ＢＹの表示箇所とは異なる箇所に表示される。
【００６０】
具体的には、共通処理表示部３０６は、一の細部工程画像２０１ＢＸにより表された印刷物生成工程、および、他の細部工程画像２０１ＢＹにより表された印刷物生成工程の両印刷物生成工程にて実行される共通の処理を、一の細部工程画像２０１ＢＸ、他の細部工程画像２０１ＢＹの表示箇所以外の箇所に表示する。
さらに、本実施形態では、共通処理表示部３０６は、符号９Ａで示すように、共通の処理についての情報として、共通の処理の内容を示す文字列を表示する。
【００６１】
具体的には、共通処理表示部３０６は、共通の処理についての情報として、「データ準備」、「装置セットアップ」、「後処理」を表示する。
さらに、本実施形態では、符号９Ｅで示すように、一の細部工程画像２０１ＢＸにより表された印刷物生成工程、および、他の細部工程画像２０１ＢＹにより表された印刷物生成工程の両印刷物生成工程にて共用できる（利用できる）資源についての情報を表示する。具体的には、物的資源についての情報および人的資源についての情報を表示する。
【００６２】
より具体的には、本実施形態では、共用できる人的資源についての情報として、作業者（No20020）、作業者（No20031）が表示される。
そして、本実施形態では、何れか一方の作業者が選択されると、選択されたこの一方の作業者が、上記の両印刷物生成工程（一の細部工程画像２０１ＢＸにより表された印刷物生成工程、他の細部工程画像２０１ＢＹにより表された印刷物生成工程）に対して割り当てられる。
【００６３】
付言すると、本実施形態では、一の細部工程画像２０１ＢＸにより表された印刷物生成工程に対しては作業者（No20031）が予め割り当てられ、他の細部工程画像２０１ＢＹにより表された印刷物生成工程に対しては作業者（No20020）が予め割り当てられている。
そして、本実施形態では、上記のように、何れか一方の作業者が選択されると、選択されたこの一方の作業者が、両印刷物生成工程（一の細部工程画像２０１ＢＸにより表された印刷物生成工程、他の細部工程画像２０１ＢＹにより表された印刷物生成工程）に対して割り当てられるようになる。
【００６４】
さらに、本実施形態では、符号９Ｅで示すように、共用できる物的資源についての情報として、装置（No100001）が表示される。
なお、本実施形態では、一の細部工程画像２０１ＢＸにより表された印刷物生成工程、他の細部工程画像２０１ＢＹにより表された印刷物生成工程の両印刷物生成工程に対して、１つのこの装置（No100001）が既に割り当てられおり、１つのこの装置（No100001）は、既に共用される状態となっている。
付言すると、この例では、当初から、１つの装置（No100001）により、２つの印刷物生成工程における処理が行われるようになっており、オペレータによる装置の選択がなされないでも、この１つの装置（No100001）が共用される状態となっている。
【００６５】
さらに、本実施形態では、資源情報表示部３０３が、上記の２つの細部工程画像２０１Ｂ（一の細部工程画像２０１ＢＸおよび他の細部工程画像２０１ＢＹ）の各々に対応付けて、各印刷物生成工程における処理に用いられる資源（既に割り当てられている資源）についての情報を表示する。
【００６６】
具体的には、資源情報表示部３０３は、一の細部工程画像２０１ＢＸに対応付けて、この一の細部工程画像２０１ＢＸにより表される印刷物生成工程における処理に用いられる資源についての情報を表示する。
具体的には、資源情報表示部３０３は、符号９Ｇで示すように、一の細部工程画像２０１ＢＸに対応付けて、装置（No100001）、作業者（No20031）を表示する。
【００６７】
さらに、資源情報表示部３０３は、他の細部工程画像２０１ＢＹに対応付けて、この他の細部工程画像２０１ＢＹにより表される印刷物生成工程における処理に用いられる資源についての情報を表示する。
具体的には、資源情報表示部３０３は、符号９Ｈで示すように、他の細部工程画像２０１ＢＹに対応付けて、装置（No100001）、作業者（No20020）を表示する。
さらに、上記と同様、装置についての情報の表示にあたっては、装置の信頼性、稼働率についての情報が表示され、作業者についての情報の表示にあたっては、この作業者の能力についての情報が表示される。
【００６８】
なお、共通の処理の表示形態としては、その他に、図１０（細部表示画面２００Ｂにおける他の表示例を示した図）に示すように、一の細部工程画像２０１ＢＸおよび他の細部工程画像２０１ＢＹの各々に含まれる複数の工程２０２のうちの、共通の処理が実行される工程２０２の各々に対応付けて画像を表示して、共通の処理を表示するようにしてもよい。
【００６９】
具体的には、図１０にて示す表示例では、一の細部工程画像２０１ＢＸおよび他の細部工程画像２０１ＢＹの各々に含まれる複数の工程２０２のうち、共通の処理である「データ準備」、「装置セットアップ」、「後処理」が実行される各工程２０２に対応付けて有色の枠の画像（例えば、赤枠の画像）（符号１０Ａ、１０Ｂ、１０Ｃで示す矩形状の画像）を表示している。
さらに、共通の処理が実行される各工程２０２に対応付けて、「共有可能」という文字列を表示している。
【００７０】
図１１は、上記の共通の処理の何れかが、オペレータにより選択された後の細部表示画面２００Ｂを示した図である。より具体的には、図１１は、「装置セットアップ」、「後処理」がオペレータにより選択された後の細部表示画面２００Ｂを示した図である。
本実施形態では、共通の処理の何れかがオペレータにより選択されると、符号１１Ａで示すように、選択されたことを示す「済み」、「共有中」という表示がなされる。
また、本実施形態では、「解除」という選択項目も表示され、この選択項目を選択すると、共通の処理の選択の解除を行える。
【００７１】
さらに、本実施形態では、共通の処理が選択されると、先に実行される一の細部工程画像２０１ＢＸにより表されている一の印刷物生成工程（以下、「一の印刷物生成工程Ｘ」と称する）にて、及び／又は、後に実行される他の細部工程画像２０１ＢＹにより表されている他の印刷物生成工程（以下、「他の印刷物生成工程Ｙ」と称する）にて、この共通の処理がまとめて実行されるようになる。
【００７２】
具体的には、本例では、「装置セットアップ」については、先に実行される一の印刷物生成工程Ｘにてまとめて実行され、「後処理」については、後に実行される他の印刷物生成工程Ｙにてまとめて実行されるようになる。
さらに、本実施形態では、これに伴い、図１１の符号１１Ｃ、１１Ｄで示すように、一の細部工程画像２０１ＢＸおよび他の細部工程画像２０１ＢＹが変更される。
【００７３】
本実施形態では、共通の処理がオペレータにより選択されると、工程画像変更部３０５が、一の細部工程画像２０１ＢＸおよび他の細部工程画像２０１ＢＹの少なくとも一方の細部工程画像２０１Ｂを変更する。なお、本実施形態では、両方の細部工程画像２０１Ｂが変更される。
【００７４】
具体的には、本実施形態では、上記のとおり、「装置セットアップ」が選択され、「装置セットアップ」については、先に実行される一の印刷物生成工程Ｘにてまとめて実行される。これに伴い、工程画像変更部３０５は、一の細部工程画像２０１ＢＸを変更する。
また、本実施形態では、上記のとおり、「後処理」が選択され、「後処理」については、後に実行される他の印刷物生成工程Ｙにてまとめて実行される。これに伴い、工程画像変更部３０５は、他の細部工程画像２０１ＢＹを変更する。
【００７５】
具体的には、工程画像変更部３０５は、一の細部工程画像２０１ＢＸおよび他の細部工程画像２０１ＢＹの全長を変更する。言い換えると、工程画像変更部３０５は、一の細部工程画像２０１ＢＸおよび他の細部工程画像２０１ＢＹの終端２０６Ｅの位置を変更する。
より具体的には、本実施形態では、一の細部工程画像２０１ＢＸについては、終端２０６Ｅを始点２０６Ｓから離れる方向へ移動させて、一の細部工程画像２０１ＢＸの全長を大きくする。
また、他の細部工程画像２０１ＢＹについては、終端２０６Ｅを始点２０６Ｓに接近する方向へ移動させて、他の細部工程画像２０１ＢＹの全長を小さくする。
【００７６】
さらに詳細に説明すると、工程画像変更部３０５は、一の細部工程画像２０１ＢＸの変更にあたっては、一の細部工程画像２０１ＢＸにより表されている一の印刷物生成工程Ｘを実行する場合の処理時間をまず算出する。
本実施形態では、一部の共通の処理（装置セットアップ）については、一の印刷物生成工程Ｘにてまとめて実行され、その一方で、他の共通の処理（後処理）については、この一の印刷物生成工程Ｘにおける処理が省略される。
【００７７】
このため、工程画像変更部３０５は、一の細部工程画像２０１ＢＸの変更にあたっては、一部の共通の処理（装置セットアップ）を、一の印刷物生成工程Ｘにてまとめて実行し、他の共通の処理（後処理）については、一の印刷物生成工程Ｘでは実行しない場合（省略する場合）の処理時間を算出する。
【００７８】
付言すると、工程画像変更部３０５は、先に実行される一の印刷物生成工程Ｘを実行する場合の処理時間であって、「装置セットアップ」を、この一の印刷物生成工程Ｘにてまとめて実行し、「後処理」についてはその実行を省略する場合の処理時間を算出する。
そして、工程画像変更部３０５は、算出したこの処理時間に基づき、一の印刷物生成工程Ｘを示した一の細部工程画像２０１ＢＸの変更を行う。
【００７９】
また、工程画像変更部３０５は、他の細部工程画像２０１ＢＹの変更にあたっては、一部の共通の処理（装置セットアップ）の実行を、他の印刷物生成工程Ｙでは省略し、他の一部の共通の処理（後処理）の実行を、他の印刷物生成工程Ｙにてまとめて行う場合の処理時間を算出する。
そして、工程画像変更部３０５は、算出したこの処理時間に基づき、他の印刷物生成工程Ｙを示した他の細部工程画像２０１ＢＹの変更を行う。
【００８０】
本実施形態では、「装置セットアップ」については、一の印刷物生成工程Ｘにてまとめて実行されるため、これに起因して、一の印刷物生成工程Ｘに要する時間は長くなる。
その一方で、「後処理」については、この一の印刷物生成工程Ｘにおける実行が省略されるため、この「後処理」を省略する分、一の印刷物生成工程Ｘに要する時間は短くなる。
【００８１】
また、他の印刷物生成工程Ｙでは、「装置セットアップ」が省略されるため、この他の印刷物生成工程Ｙに要する時間は短くなる。
その一方で、「後処理」については、他の印刷物生成工程Ｙにおいてまとめて実行されるため、この「後処理」の分、他の印刷物生成工程Ｙに要する時間は長くなる。
【００８２】
本例では、他の印刷物生成工程Ｙにて、「装置セットアップ」を省略したことによる時間削減の効果が大きく、図１１に示すように、他の印刷物生成工程Ｙについては、他の細部工程画像２０１ＢＹの終端２０６Ｅの位置が、当初の位置（図９における終端２０６Ｅの位置）よりも左に移動する。
これにより、この他の細部工程画像２０１ＢＹの全長が短くなる。そして、この場合、他の印刷物生成工程Ｙに要する時間が短くなる。
【００８３】
図１２は、共通の処理が選択された後の全体表示画面２００Ａを示した図である。
具体的には、共通の処理である、「装置セットアップ」、「後処理」が選択された後の全体表示画面２００Ａを示した図である。
本実施形態では、共通の処理が選択された場合、上記のように、細部工程画像２０１Ｂが変更される。この場合、本実施形態では、関連画像変更部３０７が、この細部工程画像２０１Ｂの変更に応じて、全体工程画像２０１Ａを変更する。
【００８４】
具体的には、関連画像変更部３０７は、細部工程画像２０１Ｂの変更に応じて、この細部工程画像２０１Ｂに関連する画像である全体工程画像２０１Ａを変更する。
付言すると、関連画像変更部３０７は、細部工程画像２０１Ｂの変更に応じて、この細部工程画像２０１Ｂにより示される工程が実行される印刷物生成工程を示す全体工程画像２０１Ａを変更する。
より具体的には、関連画像変更部３０７は、全体工程画像２０１Ａの、少なくとも終端２０６Ｅの位置を変更して、全体工程画像２０１Ａの全長を変更する。
【００８５】
より具体的には、本実施形態では、図１２において、上から４つ目の全体工程画像２０１Ａ、上から５つ目の全体工程画像２０１Ａが、関連画像となっており、この関連画像が変更される。
具体的には、この関連画像の全長が変更される。具体的には、本実施形態では、４つ目の全体工程画像２０１Ａの全長が大きくなるように変更され、また、５つ目の全体工程画像２０１Ａの全長が小さくなるように変更される。
【００８６】
５つ目の全体工程画像２０１Ａについて説明すると、本実施形態では、上記のように、他の細部工程画像２０１ＢＹ（図１１の符号１１Ｄで示す細部工程画像２０１Ｂ）の全長が小さくなるため、これに伴い、この他の細部工程画像２０１ＢＹに関連する、５つ目の全体工程画像２０１Ａ（図１２参照）の全長が小さくなる。
【００８７】
本実施形態では、５つ目の全体工程画像２０１Ａの全長が小さくなると、図１２に示すように、納期画像２０５が、この５つ目の全体工程画像２０１Ａの終端２０６Ｅから離れた箇所に位置するようになる。言い換えると、終端２０６Ｅを挟み、始点２０６Ｓとは反対側に、納期画像２０５が位置するようになる。
これにより、本実施形態では、５つ目の全体工程画像２０１Ａについては、納期を満たす表示となる。
【００８８】
本実施形態では、４つ目の全体工程画像２０１Ａにより示される印刷物生成工程により生成される印刷物と、５つ目の全体工程画像２０１Ａにより示される印刷物生成工程により生成される印刷物とは、互いに異なる製品としての扱いとなる。
本実施形態では、このように異なる製品の製造において、資源の共有を行える。
【００８９】
さらに、図１２にて示す全体表示画面２００Ａでは、選択済み表示部３０８が、共通の処理が選択されたことを示す表示（資源の共有がなされていることを示す表示）を行う。
具体的には、本実施形態では、共通の処理が選択されたことを示す表示として、４つ目の全体工程画像２０１Ａと５つ目の全体工程画像２０１Ａとを結ぶ線１２Ｘを表示する。
より具体的には、４つ目の全体工程画像２０１Ａから５つ目の全体工程画像２０１Ａに向かう破線の矢印を表示する。
【００９０】
言い換えると、本実施形態では、４つ目の全体工程画像２０１Ａに含まれるプレス工程、５つ目の全体工程画像２０１Ａに含まれるプレス工程にて、共通の処理の共有化が図られている。
本実施形態では、これに応じ、４つ目の全体工程画像２０１Ａに含まれるプレス工程と、５つ目の全体工程画像２０１Ａに含まれるプレス工程との間に関連性があることを示す表示が行われる。
【００９１】
図１３は、全体表示画面２００Ａの他の表示例を示している。
この全体表示画面２００Ａでも、上記と同様、共通の処理が選択されたことを示す表示が行われている（複数の印刷物生成工程間に関連性があることを示す表示が行われている）。
具体的には、この例では、２つ目の全体工程画像２０１Ａにより示されている印刷物生成工程、５つ目の全体工程画像２０１Ａにより示されている印刷物生成工程、および、６つ目の全体工程画像２０１Ａにより示されている印刷物生成工程の３つの印刷物生成工程にて実行される共通の処理が選択された場合を例示している。
具体的には、３つのポストプレス工程にて実行される共通の処理が選択された場合を例示している。
【００９２】
選択の対象となる共通の処理は、２つの印刷物生成工程にて実行される共通の処理に限らず、２つを超える印刷物生成工程にて実行される共通の処理であってもよい。
また、このように、２つを超える印刷物生成工程にて実行される共通の処理の選択にあたっては、まず、２つの印刷物生成工程にて実行される共通の処理が選択され共用化が図られた後に、共用化が図られたこの共通の処理と、３つ目の印刷物生成工程にて実行される共通の処理との間で、共通の処理の選択を行うようにしてもよい。
【００９３】
さらに、この例では、５つ目の全体工程画像２０１Ａにより示されている印刷物生成工程、６つ目の全体工程画像２０１Ａにより示されている印刷物生成工程の２つの印刷物生成工程にて実行される共通の処理が選択された場合を例示している。
具体的には、５つ目の全体工程画像２０１Ａにより示されている印刷物生成工程に含まれる配送工程にて実行され、且つ、６つ目の全体工程画像２０１Ａにより示されている印刷物生成工程に含まれる配送工程にて実行される共通の処理が選択された場合を例示している。
【００９４】
（その他）
図２にて示した各機能部は、１つの装置（コンピュータ）により実現してもよいし、複数の装置の各々に機能部を分散して配置し、複数の装置が協同して、上記の各機能を実現するようにしてもよい。
また、本発明は、上述の実施形態に限定されるものでなく、様々な変形例を含む。上述した実施形態は、本発明を分かりやすく説明するために詳細に説明したものであり、必ずしも説明した全ての構成を備える必要はない。言い換えると、上述の実施形態は、一例であり、上述の実施形態に既知の構成を追加したり、実施形態の一部を削除したり、実施形態の一部を既知の構成で置換したりしてもよい。
【符号の説明】
【００９５】
１…表示システム、２０１…工程画像、２０１Ａ…全体工程画像、２０１Ｂ…細部工程画像、２０３…時間軸、２０５…納期画像、２０６Ｅ…終端、２０７…アイコン、３０１…工程画像表示部、３０２…納期画像表示部、３０３…資源情報表示部、３０４…未達表示部、３０５…工程画像変更部、３０６…共通処理表示部、３０７…関連画像変更部、３０８…選択済み表示部
【図１】
2019215718.tif 000003
【図２】
2019215718.tif 000004
【図３】
2019215718.tif 000005
【図４】
2019215718.tif 000006
【図５】
2019215718.tif 000007
【図６】
2019215718.tif 000008
【図７】
2019215718.tif 000009
【図８】
2019215718.tif 000010
【図９】
2019215718.tif 000011
【図１０】
2019215718.tif 000012
【図１１】
2019215718.tif 000013
【図１２】
2019215718.tif 000014
【図１３】
2019215718.tif 000015